(57)【要約】【課題】視聴者が選択した所定のジャンルの番組を放送するチャンネルのお気に入りリストへの登録を視聴者に容易に行わせ、アナログ放送のチャンネルのお気に入りリストへの登録も視聴者に容易に行わせる。【解決手段】（Ａ）のチャンネル編集初期画面のジャンル選択ボタン３５を押すと、（Ｂ）のジャンル一覧３８が表示されたチャンネル編集画面に切り替わる。ジャンル一覧３８のうち、アナログ３８１が選択されたときは、チャンネルリスト３１からアナログ放送のチャンネルを検出する。チャンネルリスト３１がジャンル一覧３８と共に表示された状態で、ジャンル一覧３８の所望のジャンルを選択すると、そのジャンルのあるチャンネルがチャンネルリスト３１で区分け表示される。区分け表示されたチャンネルを選択した上で、お気に入り登録ボタン３７が押された場合、お気に入りリストへの登録が行われる。【選択図】図３
2009224831.tif 000002
【特許請求の範囲】
【請求項１】
予め放送用に定められている複数の物理周波数に順次選局し、放送されているチャンネルを検出するためのチャンネルサーチによって検出した複数のチャンネルのチャンネル情報を記憶する記憶手段と、
前記記憶手段から得た前記チャンネル情報に基づいて、前記複数のチャンネルのリストであるチャンネル一覧の画像を生成すると共に、複数のジャンルのリストであるジャンル一覧を表示させるためのジャンル選択ボタン及び前記チャンネル一覧から所定のチャンネルを選択してお気に入り登録リストとして登録させるためのお気に入り登録ボタンを含む選択入力ボタンの画像を生成してそれぞれ表示部に表示させる第１の画像生成手段と、
前記表示部に表示させた前記ジャンル選択ボタンが選択された場合、前記ジャンル一覧の画像を生成して、そのジャンル一覧の画像を前記チャンネル一覧の画像及び前記選択入力ボタンの画像と共に前記表示部に表示させる第２の画像生成手段と、
前記表示部に表示させた前記ジャンル一覧から１つのジャンルが選択された場合、前記チャンネル一覧に登録されている全てのチャンネルを順次受信して、これらの各チャンネルにおいて放送されている番組に付加されているジャンル情報を取得し、このジャンル情報の示すジャンルが、前記ジャンル一覧から選択された前記１つのジャンルと同一のジャンルである番組を放送しているチャンネルを検出し、前記表示手段に表示している前記チャンネル一覧の、前記検出したチャンネルが表示されている領域の近傍に、所定のマークを付加するジャンル検出手段と、
前記マークが付加されたチャンネルのうち所定のチャンネルが前記お気に入り登録ボタンを用いて選択された場合、この所定のチャンネルを前記お気に入り登録リストに登録させる手段と、
を有することを特徴とする放送受信機。
【請求項２】
前記記憶手段は、
チャンネルサーチによって検出したアナログ放送の物理チャンネル情報と、前記チャンネルサーチによって検出したデジタル放送のチャンネル情報とを記憶し、
前記第２の画像生成手段は、
前記アナログ放送を示す情報を、前記ジャンル一覧のうちのジャンルの１つとして加えた前記ジャンル一覧の画像を生成し、
前記ジャンル検出手段は、
前記表示部に表示させた前記ジャンル一覧から、前記アナログ放送を示す情報が選択された場合、前記チャンネル一覧に登録されている全てのアナログ放送の物理チャンネルを検出し、この検出した物理チャンネルが表示されている領域の近傍に所定のマークを付加する、
ことを特徴とする請求項１記載の放送受信機。
【発明の詳細な説明】
【技術分野】
【０００１】
本発明は放送受信機に係り、特にチャンネルサーチによって検索されたチャンネルが登録されたチャンネルリストを表示する機能を備えた放送受信機に関する。
【背景技術】
【０００２】
地上波デジタル放送は、世界の多くの国々で、本放送もしくはテスト放送が開始されている。そして、現在、その地上波デジタル放送を行っている多くの国では、地上アナログ放送と地上波デジタル放送とを同時に放送し、それらの大半をサイマル放送にしている。これを受けて、アナログ放送とデジタル放送とを両方受信できるようになっているテレビジョン受像機が普及している。
【０００３】
上記の地上波デジタル放送は、１つの周波数で複数のサービスを提供できることから、国によっては１００チャンネルを超えるサービスが存在する場合がある。一方、地上アナログ放送においても数十チャンネルの放送が行われている。このため、テレビジョン受像機の視聴者は、地上アナログ放送と地上波デジタル放送の両方により非常に多くのサービスを提供されている状況にある。
【０００４】
また、上記した様に、地上アナログ放送と地上波デジタル放送は、殆どがサイマル放送である。このため、サイマル放送に限定していえば、視聴者は、地上アナログ放送と地上波デジタル放送のどちらかのチャンネルをチャンネルリストに登録すればよいことになる。
【０００５】
一方で、デジタル放送の前記利点の観点から、近年放送局側は、アナログ放送から地上波デジタル放送へ移行を進めてきている。しかし、現在、その移行途中であるため、地上波デジタル放送で全てのアナログ放送のサイマル放送をしているわけではない。また、放送局には、新規に地上波デジタル放送を開始した放送局も存在する。
【０００６】
このようなことから、視聴者が通常通りアナログ放送と地上波デジタル放送の両方をチャンネルスキャンしてチャンネルリストに登録すると、チャンネルリストに登録されたチャンネルが多くなり、複雑で状況が分かり難い。このため、視聴者は、チャンネルリスト編集機能で自分の好みに合わせたチャンネル構成を編集するのが難しい。
【０００７】
そこで、従来は視聴者の好みの番組（チャンネル）を早く検索できる方法として、例えば、ジャンル（Genre）を活用したチャンネル区分け方法が開示されている（例えば、特許文献１参照）。この特許文献１に開示されているチャンネル区分け方法は、視聴者が予めジャンル検索などを用いて、検索回数の多かったジャンルを視聴者の好みのジャンルと判断し、チャンネルリストの表示時に、そのジャンルの番組情報表示領域の背景色や文字色を他と異ならせて表示する方法である。
【０００８】
【特許文献１】特開平９−１３０６９４号公報
【発明の開示】
【発明が解決しようとする課題】
【０００９】
ところで、テレビジョン放送受信機には、チャンネルスキャンで検出して得たチャンネル及びサービスが登録された通常のチャンネルリストを利用して、視聴者の好みのチャンネル、もしくは良く視聴するチャンネルを１つのリストにして保持するフェバリット（favourite）リスト（以下、「お気に入りリスト」という）を登録する機能を有しているものがある。このお気に入りリストへの登録は、一般的にチャンネル編集メニュー内にて行われるようになっていることが多い。
【００１０】
しかし、チャンネルスキャンによるチャンネルリストへのチャンネルの登録は、視聴者の意図とは無関係に行われる。また、お気に入りリストへの登録は、チャンネル名のあるチャンネルリストの情報のみか、その選局したコンテンツの内容を１つずつ確認して視聴者が行うことが多い。
【００１１】
このため、特にアナログ放送と地上波デジタル放送の両方から得られる、非常に多くのチャンネルをチャンネルリストに登録してある放送受信機においては、上記のお気に入りリストの登録作業は視聴者が手作業で行わなければならないので非常に時間がかかり、視聴者にとって大きな負担となっている。また、放送受信機では、地上波デジタル放送とアナログ放送とのコンテンツを比較して、効率良くチャンネル配列を確認することが難しい。この問題は、特許文献１記載の放送受信機でも同様に存在する。
【００１２】
本発明は上記の点に鑑みなされたもので、視聴者が選択した所定のジャンルの番組を放送するチャンネルのお気に入りリストへの登録を視聴者に容易に行わせることができる放送受信機を提供することを目的とする。
【００１３】
また、アナログ放送の情報をジャンル一覧に加えることで、アナログ放送のチャンネルのお気に入りリストへの登録を視聴者に容易に行わせることができる放送受信機を提供することを目的とする。
【課題を解決するための手段】
【００１４】
上記の目的を達成するため、本発明は、予め放送用に定められている複数の物理周波数に順次選局し、放送されているチャンネルを検出するためのチャンネルサーチによって検出した複数のチャンネルのチャンネル情報を記憶する記憶手段と、記憶手段から得たチャンネル情報に基づいて、複数のチャンネルのリストであるチャンネル一覧の画像を生成すると共に、複数のジャンルのリストであるジャンル一覧を表示させるためのジャンル選択ボタン及びチャンネル一覧から所定のチャンネルを選択してお気に入り登録リストとして登録させるためのお気に入り登録ボタンを含む選択入力ボタンの画像を生成してそれぞれ表示部に表示させる第１の画像生成手段と、表示部に表示させたジャンル選択ボタンが選択された場合、ジャンル一覧の画像を生成して、そのジャンル一覧の画像をチャンネル一覧の画像及び選択入力ボタンの画像と共に表示部に表示させる第２の画像生成手段と、表示部に表示させたジャンル一覧から１つのジャンルが選択された場合、チャンネル一覧に登録されている全てのチャンネルを順次受信して、これらの各チャンネルにおいて放送されている番組に付加されているジャンル情報を取得し、このジャンル情報の示すジャンルが、ジャンル一覧から選択された１つのジャンルと同一のジャンルである番組を放送しているチャンネルを検出し、表示手段に表示しているチャンネル一覧の、検出したチャンネルが表示されている領域の近傍に、所定のマークを付加するジャンル検出手段と、マークが付加されたチャンネルのうち所定のチャンネルがお気に入り登録ボタンを用いて選択された場合、この所定のチャンネルをお気に入り登録リストに登録させる手段と、を有することを特徴とする
【発明の効果】
【００１５】
本発明によれば、視聴者が選択した所定のジャンルの番組を放送するチャンネルのお気に入りリストへの登録を視聴者に容易に行わせることができる。また、アナログ放送の情報をジャンル一覧に加えることで、アナログ放送のチャンネルのお気に入りリストへの登録を視聴者に容易に行わせることができる。
【発明を実施するための最良の形態】
【００１６】
次に、本発明の実施の形態について、図面を参照して詳細に説明する。
【００１７】
図１は、本発明になる放送受信機の一実施の形態のブロック図を示す。図１において、本実施の形態の放送受信機１０は、チャンネルリスト生成記憶部２３及びジャンル検出部２４との間での制御部２１の制御動作と、制御部２１によるＯＳＤ(On Screen Display)２２の制御動作とに特徴がある。また、放送受信機１０は、信号切り替え及び映像合成部１９から出力される信号を表示するための表示デバイスである表示部２５に接続されている。なお、表示部２５は、放送受信機１０に内蔵されていてもよいし、外付けであってもよい。
【００１８】
まず、本実施の形態の受信動作の概要について説明する。チューナ１１は、図示しないアンテナで受信した地上波デジタル放送波及びアナログ放送波のＲＦ信号が入力されると、制御部２１からの選局信号に基づいて、所望のチャンネルのＲＦ信号を中間周波数信号（ＩＦ信号）に変換する選局動作を行う。ＩＦ部１２は、チューナ１１から出力されたＩＦ信号に対して増幅や帯域制限を行い、それぞれ所定の帯域のＩＦ信号と音声ＩＦ信号とを生成し、ＩＦ信号をアナログ映像検波部１３に供給し、音声ＩＦ信号を音声復調部１４に供給する。また、ＩＦ部１２は、デジタル復調部１５にもＩＦ信号を供給する。
【００１９】
アナログ映像検波部１３は、受信した放送波がアナログ放送波の場合、入力ＩＦ信号の映像検波を行い、ベースバンドの映像信号（コンポジット信号）を生成して信号切り替え及び映像合成部１９及び同期検出回路２０へ出力する。音声復調部１４は、入力音声ＩＦ信号の音声復調を行って音声信号を生成して信号切り替え及び映像合成部１９へ出力する。
【００２０】
信号切り替え及び映像合成部１９は、アナログ映像検波部１３及び音声復調部１４から入力されたアナログ放送の映像信号及び音声信号を合成して表示部２５に供給し、その画面に画像を表示させると共に音声を発音させる。
【００２１】
また、デジタル復調部１５は、受信した放送波がデジタル放送波の場合、デジタル復調を行ってデジタルデータを生成し、そのデジタルデータをＴＳデコーダ部１６に供給する。ＴＳデコーダ部１６は、入力されたデジタルデータであるトランスポートストリーム（ＴＳ）に対して公知の復号処理を行い、映像データと音声データと各種放送情報を出力する。
【００２２】
映像デコーダ部１７は、ＴＳデコーダ部１６から出力された映像データを復号してアナログ映像信号に変換して信号切り替え及び映像合成部１９へ出力する。また、音声デコーダ部１８は、ＴＳデコーダ部１６から出力された音声データを復号してアナログ音声信号に変換して信号切り替え及び映像合成部１９へ出力する。
【００２３】
信号切り替え及び映像合成部１９は、映像デコーダ部１７及び音声デコーダ部１８から入力された地上波デジタル放送の映像信号及び音声信号を合成して表示部２５に供給し、その画面に画像を表示させると共に音声を発音させる。
【００２４】
次に、本実施の形態のチャンネルリストの表示動作などの概要について説明する。制御部２１は、チャンネルサーチ時に選局データをチューナ部１１に送る一方、同期検出回路２０から供給される同期検出情報と、デジタル復調部１５から供給される復調情報とに基づいて、選局受信した放送がアナログ放送なのかデジタル放送なのかを判断する。
【００２５】
制御部２１は、選局受信した放送がアナログ放送であると判断したときは、アナログ放送の周波数情報（物理チャンネル）をチャンネルリスト生成記憶部２３に送り保持させ、デジタル放送であると判断したときは、ＴＳデコーダ部１６から放送情報を取得して、その取得した放送情報をサーチ検索結果の周波数情報（サービス名）と共にチャンネルリスト生成記憶部２３に送り保持させる。
【００２６】
一方、視聴者がチャンネルリストを表示部２５の画面に表示する場合、制御部２１はＯＳＤ生成部２２を制御して、チャンネルリスト生成記憶部２３から読み出した周波数情報や放送情報に関するＯＳＤを生成させる。信号切り替え及び映像合成部１９は、ＯＳＤ生成部２２から供給されたＯＳＤを映像信号に合成し、その合成後の信号を最終映像信号として表示部２５へ出力して表示させる。
【００２７】
また、視聴者がチャンネルリストを編集する場合、制御部２１は、チャンネルリスト生成記憶部２３から記憶されたリストを読み取り、そのリストに基づいたチャンネル編集画面をＯＳＤ生成部２２が出力するように制御する。チャンネルリスト生成記憶部２３は、チャンネルリストに登録されているチャンネルがアナログ放送のチャンネルであるのかデジタル放送のチャンネルであるのかを区別するために、アナログ放送であれば周波数情報（物理チャンネル）を、デジタル放送であれば周波数情報（チャンネル）及び放送情報（サービス名）を対応するチャンネルと共にチャンネルリスト情報として保持している。
【００２８】
また、視聴者によってデジタル放送のジャンル項目が選択された場合、制御部２１は、チャンネルリストにある各デジタルサービス（チャンネル）を選局してジャンル検出部２４でジャンルコードを判定させ、選択されたジャンル項目の内容が存在する番組を検出させる。そして、当該番組が検出されたら、制御部２１は、その番組に属しているチャンネルを特定して区分表示できるように、ＯＳＤ生成部２２に指示する。また、アナログ放送のジャンル項目が選択された場合は、制御部２１は、チャンネルリスト生成記憶部２３に保持されている情報を基に、選択されたジャンル項目の内容が存在する番組を特定して、やはり区分表示できるように、ＯＳＤ生成部２２に指示する。
【００２９】
上記の制御部２１及びＯＳＤ生成部２２は、第１及び第２の画像生成手段を構成している。この第１の画像生成手段は、チャンネルリスト生成記憶部２３の記憶情報に基づいてアナログ放送及び地上波デジタル放送のチャンネルリストの画像を生成すると共に、少なくともジャンル選択ボタン及びお気に入り登録ボタンを含む選択入力ボタンとからなる画像を生成してそれぞれ表示部２５に表示させる。また、上記の第２の画像生成手段は、表示部２５に表示させたジャンル選択ボタンの選択により、予め設定した複数のジャンルからなるジャンル一覧の画像を生成して、そのジャンル一覧の画像をチャンネルリストの画像及び選択入力ボタンの画像と共に表示部２５に表示させる。
【００３０】
次に、本実施の形態の特徴である、お気に入りリストへの登録動作などについて、図２のフローチャート及び図３（Ａ）、（Ｂ）の画面例を併せ参照して詳細に説明する。図１の制御部２１は、お気に入りリスト登録時には、ＯＳＤ生成部２２を制御して、チャンネル編集画面用ＯＳＤ信号を生成し、それを信号切り替え及び映像合成部１９を通して表示部２５に供給してチャンネル編集初期画面を表示させる（ステップＳ１）。
【００３１】
図３（Ａ）は、上記のチャンネル編集初期画面の一例を示す。このチャンネル編集初期画面は、画面の右側に表示されたチャンネルリスト３１及び左側に表示された子画面映像３２と、画面の下側に表示された機能選択リスト３３とからなる。
【００３２】
チャンネルリスト３１は、前述したように、チャンネルサーチによって検索されてチャンネルリスト生成記憶部２３に記憶されているアナログ放送の物理チャンネルと、デジタル放送のチャンネルである周波数情報及びサービス名とを、制御部２１が読み出してＯＳＤ生成部２２により生成させたＯＳＤに基づくリストである。従って、このチャンネルリスト３１には図３（Ａ）に示すように、アナログ放送チャンネル及び地上波デジタル放送チャンネルがそれぞれ混在して、「Ｓｅｒｖｉｃｅ１」〜「Ｓｅｒｖｉｃｅ６」として一覧表示されている。このチャンネルリスト３１のうち選択された「Ｓｅｒｖｉｃｅ４」のチャンネルは、図３（Ａ）に模式的に示すように非選択のチャンネルの色とは異なる所定の色で表示される。そして、このチャンネルリスト３１で選択されたチャンネルの映像は、子画面映像３２として表示される。
【００３３】
また、機能選択リスト３３は、編集(Edit)選択ボタン３４、ジャンル(Genre)選択ボタン３５、削除（Delete）選択ボタン３６及びお気に入り(Favourite)登録ボタン３７とからなる。編集選択ボタン３４は、チャンネルリスト３１の編集を行うときに使用される。削除選択ボタン３６はチャンネルリスト３１の中の所望のチャンネルを削除するときに使用される。お気に入り登録ボタン３７は、チャンネルリスト３１をフォーカスした状態で、所望のチャンネルをお気に入り登録リスト（個別チャンネルリスト）へ登録するときに使用される。
【００３４】
ここで、地上波デジタル放送では番組情報が送信されており、その中の１つにジャンルコードが存在する。視聴者は多くの場合、主要な１，２のチャンネル以外は、好みのジャンルを多く含んだチャンネルを多く視聴する。そこで、本実施の形態では、チャンネル編集の初期画面に図３（Ａ）に示すように、ジャンル選択ボタン３５を設けている。
【００３５】
視聴者は、このジャンル選択ボタン３５を例えばリモコン（図示せず）の上下左右のカーソルキー、あるいはカラーキー（カラーキーはメニューの内容によってそれぞれのボタンの意味が異なる）を操作して、ジャンル選択ボタン３５を押す。これにより、制御部２１は、ジャンル項目が選択されたと判断し（ステップＳ２のＹ）、ＯＳＤ生成部２２を制御して、ジャンル一覧用ＯＳＤ信号を生成させ、それを信号切り替え及び映像合成部１９を通して表示部２５に供給して表示させる（ステップＳ３）。
【００３６】
図３（Ｂ）は、上記のジャンル一覧が表示されたチャンネル編集画面の一例を示す。同図（Ｂ）に示すように、ジャンル一覧３８は、同図（Ａ）のチャンネル編集初期画面中の子画面映像３２が表示されていた表示領域に、子画面映像３２に代えて表示される。このジャンル一覧３８は、アナログ３８１、キッズ３８２、ニュース３８３、レジャー３８４、教育３８５、一般３８６の全部で６つのジャンルが一覧表示されたリストである。
【００３７】
このジャンル一覧３８のうち、アナログ３８１はアナログ放送のジャンル項目である。それ以外のジャンル３８２〜３８６は、地上波デジタル放送に含まれるジャンルコードが示すジャンルである。なお、ジャンル選択ボタン３５は、選択されたことを示すために、図３（Ｂ）に模式的に示すように他のボタン３４、３６、３７の色とは異なる所定の色で表示される。
【００３８】
続いて、制御部２１は、ジャンル一覧３８のうちアナログ３８１が選択されたか、それとも地上波デジタル放送のジャンル３８２〜３８６のいずれかが選択されたかを判断する（ステップＳ４）。制御部２１は、アナログ放送のジャンル項目であるアナログ３８１が選択された場合は、チャンネルリスト生成記憶部２３に保持されている情報（図３（Ｂ）に示すチャンネル編集画面中のチャンネルリスト３１からアナログ放送のチャンネル）を検出し（ステップＳ５）、その検出チャンネルにｖマークを表示するようにＯＳＤ生成部２２を制御する（ステップＳ６）。このｖマークの表示により、アナログ放送チャンネルをチャンネルリスト３１上に区分けして表示することができる。図３（Ｂ）では、「Ｓｅｒｖｉｃｅ１」、「Ｓｅｒｖｉｃｅ３」〜「Ｓｅｒｖｉｃｅ５」にｖマークが表示されている。このアナログ放送のジャンル項目であるアナログ３８１を選択することにより、チャンネルリスト３１に地上波デジタル放送チャンネルと混合されているアナログ放送チャンネルを識別して確認することができる。また、ジャンル一覧３８の選択されたジャンル項目のアナログ３８１にもｖマークが表示される。
【００３９】
一方、ステップＳ４で制御部２１は、地上波デジタル放送のジャンル項目であるジャンル３８２〜３８６のいずれかが選択されたと判断したときは、選択された項目のジャンルを特定する（ステップＳ７）。
【００４０】
続いて、制御部２１は、地上波デジタル放送サービスとしてチャンネルリスト３１に登録されたすべてのチャンネルを選局して、ジャンル検出部２４で選択されたジャンルと同一のジャンルコードを持つ番組を検索する（ステップＳ８）。
【００４１】
その結果、同一のジャンルコードの番組を放送するチャンネルを検索できた場合は、制御部２１はＯＳＤ生成部２２を制御して、チャンネルリスト３１中の同一のジャンルコードの番組のチャンネルに区分け表示のためにｖマークのＯＳＤを生成させて表示させる（ステップＳ９）。なお、ｖマークの表示ではなく、チャンネルリスト３１中の同一のジャンルコードの番組のチャンネルだけをフィルタリングして再表示してもよい。
【００４２】
次に、制御部２１は、お気に入りリスト項目の選択がなされたか否かを判定する（ステップＳ１０）。このお気に入りリスト項目の選択は、選択したジャンルと同一のジャンルコードの番組を放送する上記したｖマークが付加されたチャンネルのうち、お気に入りリストへ登録しようとするチャンネルを選択し、かつ、お気に入り登録ボタン３７を押すことでなされる。制御部２１は、お気に入りリスト項目の選択がなされたときには、お気に入りリスト項目の選択がなされたチャンネルを、チャンネルリスト生成記憶部２３内のお気に入りリストに登録する（ステップＳ１１）。お気に入りリスト項目の選択がなされないときには処理を終了する（ステップＳ１０のＮ）。
【００４３】
従って、制御部２１は、チャンネルリスト３１がジャンル一覧３８と共に表示された状態で、図３（Ｂ）に示すようにジャンル選択してチャンネルリスト３１で区分け表示されたチャンネルを選択した上で、お気に入り登録ボタン３７が押された場合、お気に入りリストへの登録を行う。なお、制御部２１は、上記のステップＳ１１のお気に入りリストへの登録時にＯＳＤ生成部２２を制御し、＊マークをチャンネルリスト３１中のお気に入りリストへ登録するチャンネル位置に表示させる。図３（Ｂ）では、「Ｓｅｒｖｉｃｅ１」と「Ｓｅｒｖｉｃｅ４」とが＊マークにより、お気に入りリストへ登録したチャンネルであることが表示されている。
【００４４】
以上の処理は、すべて放送受信機の基本ブロックのみで行え、特に回路及び処理ブロックを追加して行う必要がないので、安価に実現できる。
【００４５】
このように、本実施の形態によれば、チャンネルリスト３１とジャンル一覧３８とを含むチャンネル編集画面を表示するようにしたので、視聴者が選択した所定のジャンルの番組を放送するチャンネルのお気に入りリストへの登録を視聴者に容易に行わせることができる。
【００４６】
また、本実施の形態では、ジャンル一覧３８にアナログ放送信号を選択するジャンル項目３８１を追加したので、チャンネルリスト３１にアナログ放送チャンネルと、デジタル放送チャンネルとを混在して登録することができ、それによりアナログ放送のチャンネルのお気に入りリストへの登録を視聴者に容易に行わせることができる。また、本実施の形態では、アナログ放送とデジタル放送との区分けを明確に整理することが簡単にできる。
【００４７】
なお、上記の実施の形態では、選択されたチャンネルにｖマークをつけることとしたが、本発明はこれに限定されるものではなく、検出された番組のみを再表示することも一つの方法である。また、マークの形状は、実施の形態のものに限定されるものではなく、更にはマークに限らず、区分け表示ができるものであれば何でもよい（例えば、表示色を異ならせるなど）。
【００４８】
また、以上は、デジタル放送とアナログ放送との両方を受信できるテレビジョン受像機を例に説明したものであるが、ジャンルの選択に係る本願発明は、デジタル放送のみ受信できるテレビジョン受像機に対しても適用可能である。
【図面の簡単な説明】
【００４９】
【図１】本発明の放送受信機の一実施の形態のブロック図である。
【図２】本発明の放送受信機のチャンネル編集時の動作説明用フローチャートである。
【図３】チャンネル編集の初期画面、及びジャンル一覧が表示されたチャンネル編集画面の一例である。
【符号の説明】
【００５０】
１０  放送受信機
１１  チューナ
１２  ＩＦ部
１３  アナログ映像検波部
１４  音声復調部
１５  デジタル復調部
１６  ＴＳデコーダ部
１７  映像デコーダ部
１８  音声デコーダ部
１９  信号切替え及び映像合成部
２０  同期検出回路
２１  制御部
２２  ＯＳＤ生成部
２３  チャンネルリスト生成記憶部
２４  ジャンル検出部
２５  表示部
【図１】
2009224831.tif 000003
【図２】
2009224831.tif 000004
【図３】
2009224831.tif 000005